(57)【要約】【課題】内蔵した電気部品からの音や振動の伝達を十分に抑制することができる電気接続箱を提供することを目的とする。【解決手段】端子１１２を有したリレー１１と、そのリレー１１の端子１１２に接続される電線１２と、リレー１１を収容する絶縁樹脂製のケース体１３と、を備えた電気接続箱１Ａであって、ケース体１３は、リレー１１を非接触かつこのリレー１１の周囲を囲んだ状態で収容する収容部１３３と、収容部１３３から電線１２を導出させる導出部１３４と、を有して形成され、リレー１１と収容部１３３の内面との間に介装されたインナーモールド１４によってリレー１１を支持する第一支持手段と、電線１２を介してリレー１１を支持する第二支持手段と、のうちの少なくとも一方の支持手段を備えた。【選択図】図２
2015023591.tif 000002
【特許請求の範囲】
【請求項１】
端子１１２を有した電気部品１１と、該電気部品の端子に接続される電気接続部材１２と、前記電気部品を収容する絶縁樹脂製のケース体１３と、を備えた電気接続箱１Ａであって、
前記ケース体は、前記電気部品を非接触かつ該電気部品の周囲を囲んだ状態で収容する収容部１３３と、該収容部から前記電気接続部材を導出させる導出部１３４と、を有して形成され、
前記電気部品と前記収容部の内面との間に介装された第一支持部材１４によって前記電気部品を支持する第一支持手段と、前記電気接続部材を介して前記電気部品を支持する第二支持手段と、
のうちの少なくとも一方の支持手段を備えたことを特徴とする電気接続箱。
【請求項２】
前記第一支持部材は、防振性を有した弾性材料から形成されており、前記電気部品の周囲を隙間なく包囲するとともに、前記収容部の内面に密接して設けられ、該第一支持部材には、前記電気接続部材を挿通させる挿通部１４３が形成されていることを特徴とする請求項１に記載の電気接続箱。
【請求項３】
前記第二支持手段は、防振性を有した弾性材料から形成されて前記電気接続部材と前記導出部との間に介装される第二支持部材１５を有して構成され、該第二支持部材が、前記電気接続部材の周囲を隙間なく包囲するとともに、前記導出部の内周縁に密接して設けられていることを特徴とする請求項１又は２に記載の電気接続箱。
【請求項４】
前記収容部は、一方側に開口した穴部１３３ａと、前記穴部の開口を塞ぐ蓋部１３３ｂと、で構成され、
前記第一支持部材は、前記穴部の奥側に設けられる奥側部材１４１と、前記穴部の開口側かつ前記蓋部の側に設けられる開口側部材１４２と、を有して構成されていることを特徴とする請求項１〜３のいずれか一項に記載の電気接続箱。
【発明の詳細な説明】
【技術分野】
【０００１】
本発明は、自動車に搭載される電気接続箱に関するものである。
【背景技術】
【０００２】
自動車に搭載される電気接続箱は、リレーやヒューズ、ヒュージブルリンク等の電気部品と、このような電気部品を収容する絶縁樹脂製の箱本体（ケース体）と、電気部品と外部機器とを電気的に接続する外部端子を備えたものが一般的であり、箱本体に設けられた固定部が車両パネル等にボルト固定されている。このような電気接続箱では、収容した電気部品が音や振動を発生するものの場合（例えば、リレー等）、その音や振動が箱本体を介して自動車のボディに固体伝搬音として伝達され、搭乗者に不快感を与える可能性がある。そこで、遮音性を考慮した電気接続箱が提案されている（例えば、特許文献１参照）。
【０００３】
特許文献１記載の電気接続箱は、リレーと、回路基板と、器体（ケース体）とを備えて構成され、リレーが緩衝材を介して回路基板に載置されており、この緩衝材によって音や振動の伝達を抑制しようとするものである。
【先行技術文献】
【特許文献】
【０００４】
【特許文献１】特開２０００−１６４０９７号公報
【発明の概要】
【発明が解決しようとする課題】
【０００５】
しかしながら、特許文献１に記載された従来の電気接続箱では、リレーの端子と回路基板とを電気的に接続するバスバを介してリレーの音や振動が回路基板に伝わり、さらに、この回路基板が器体（ケース体）に接触状態でボルト固定されていることから、回路基板に伝わった音や振動がケース体へと直接伝達してしまう問題がある。
【０００６】
したがって、本発明は、内蔵した電気部品からの音や振動の伝達を十分に抑制することができる電気接続箱を提供することを目的とする。
【課題を解決するための手段】
【０００７】
上記課題を達成するために請求項１に記載の電気接続箱は、端子を有した電気部品と、該電気部品の端子に接続される電気接続部材と、前記電気部品を収容する絶縁樹脂製のケース体と、を備えた電気接続箱であって、前記ケース体は、前記電気部品を非接触かつ該電気部品の周囲を囲んだ状態で収容する収容部と、該収容部から前記電気接続部材を導出させる導出部と、を有して形成され、前記電気部品と前記収容部の内面との間に介装された第一支持部材によって前記電気部品を支持する第一支持手段と、前記電気接続部材を介して前記電気部品を支持する第二支持手段と、のうちの少なくとも一方の支持手段を備えたことを特徴とする。
【０００８】
請求項２に記載の電気接続箱は、請求項１記載の電気接続箱において、前記第一支持部材は、防振性を有した弾性材料から形成されており、前記電気部品の周囲を隙間なく包囲するとともに、前記収容部の内面に密接して設けられ、該第一支持部材には、前記電気接続部材を挿通させる挿通部１４３が形成されていることを特徴とする。
【０００９】
請求項３に記載の電気接続箱は、請求項１又は２に記載の電気接続箱において、前記第二支持手段は、防振性を有した弾性材料から形成されて前記電気接続部材と前記導出部との間に介装される第二支持部材を有して構成され、該第二支持部材が、前記電気接続部材の周囲を隙間なく包囲するとともに、前記導出部の内周縁に密接して設けられていることを特徴とする。
【００１０】
請求項４に記載の電気接続箱は、請求項１〜３のいずれか一項に記載の電気接続箱において、前記収容部は、一方側に開口した穴部と、前記穴部の開口を塞ぐ蓋部と、で構成され、前記第一支持部材は、前記穴部の奥側に設けられる奥側部材と、前記穴部の開口側かつ前記蓋部の側に設けられる開口側部材と、を有して構成されていることを特徴とする。
【発明の効果】
【００１１】
請求項１に記載された発明によれば、電気部品と収容部の内面との間に介装された第一支持部材によって前記電気部品を支持する第一支持手段と、電気接続部材を介して電気部品を支持する第二支持手段と、のうちの少なくとも一方の支持手段で電気部品を支持することで、電気部品が収容部に対して非接触で支持され、かつ周囲が収容部に囲まれて収容されることとなる。従って、電気部品から音や振動が発生した場合であっても、この音や振動が収容部に直接伝達されることが防止できる。
【００１２】
請求項２に記載された発明によれば、第一支持部材が、防振性を有した弾性材料から形成されていることで、電気部品から第一支持部材を介して収容部の内面に伝達される音や振動が減衰され、遮音性能及び防振性能をさらに向上させることができる。また、第一支持部材で電気部品の周囲を隙間なく包囲するとともに、第一支持部材を収容部の内面に密接して設けることで、電気部品から発生する音が漏れ出すのを防止することができる。さらに、第一支持部材に挿通部が形成され、この挿通部を通して電気接続部材を導出させることで、電気接続部材を伝搬することによる音や振動の漏出も抑制することができる。
【００１３】
請求項３に記載された発明によれば、第二支持手段が、防振性を有した弾性材料から形成されて電気接続部材と導出部との間に介装される第二支持部材を有して構成されていることで、電気部品から電気接続部材及び第二支持部材を介して導出部に伝達される音や振動が減衰され、遮音性能及び防振性能をさらに向上させることができる。また、第二支持部材で電気接続部材の周囲を隙間なく包囲するとともに、第二支持部材を導出部の内周縁に密接して設けることで、電気部品から発生する音や振動が電気接続部材を介して収容部の外部に漏れ出すのを防止することができる。
【００１４】
請求項４に記載された発明によれば、収容部が穴部と蓋部とで構成され、第一支持部材が奥側部材と開口側部材とを有して構成される、即ち、第一支持部材が穴部の奥側と開口側とで少なくとも二分割されていることで、電気部品及び第一支持部材を収容部に収容する際の組付け手順を効率化することができる。具体的には、先ず、収容部に奥側部材を嵌入しておいてから、この奥側部材に電気部品を支持させ、次に、奥側部材及び電気部品に密接させつつ開口側部材を収容部に嵌入し、その後に蓋部で収容部を塞ぐことで、電気部品及び第一支持部材を収容部に確実に組み付けることができる。
【図面の簡単な説明】
【００１５】
【図１】本発明の第１実施形態にかかる電気接続箱の外観を示す斜視図である。
【図２】電気接続箱の分解斜視図である。
【図３】ケース体に収容される電気部品を示す斜視図である。
【図４】ケース本体の上面図である。
【図５】ケース本体の右側面図である。
【図６】ケース本体の底面図である。
【図７】図６に矢視Ａ線で示す断面図である。
【図８】図６に矢視Ｂ線で示す断面図である。
【図９】電気接続箱の組立て手順について説明する図である。
【図１０】電気接続箱の組立て手順について説明する図である。
【図１１】本発明の第２実施形態にかかる電気接続箱における第一支持部材を示す図である。
【発明を実施するための形態】
【００１６】
（第１実施形態）
本発明の第１実施形態にかかる電気接続箱を図１〜図１０を参照して説明する。
【００１７】
電気接続箱１Ａは、例えばアイドリングストップ機能を有する自動車に搭載され、複数の大容量バッテリーからの電源について、通常運転時には全バッテリーから各種電気部品へ電源を供給し、アイドリング時には一部を充電用に残してバッテリーからの電源供給を遮断するという通電制御を行うものである。この電気接続箱１Ａは、電気部品としての大容量のリレー１１と、このリレー１１の端子１１２に接続される通電用の電線１２と、リレー１１が収容されるケース体１３と、を備えている。図１は、電気接続箱１Ａの外観を示す斜視図であり、図２は、電気接続箱１Ａの分解斜視図である。また、図３は、ケース体１３に収容されるリレー１１の斜視図である。また、図４〜８は、ケース体１３を構成するケース本体１３１について説明する図であり、図９及び図１０は、電気接続箱１Ａの組立て手順について説明する図である。
【００１８】
図２に示されているように、リレー１１は、リレー本体１１１と、電線１２が接続される一対の端子１１２と、リレー本体１１１に制御用電線１１３で接続された制御コネクタ１１４と、を有している。制御コネクタ１１４は、図１に示されているように、外観上、電気接続箱１Ａの外部に露出している。この制御コネクタ１１４には、不図示の外部制御用電線のコネクタが接続される。そして、この外部制御用電線と、制御コネクタ１１４及び制御用電線１１３とを介してリレー１１に、その内部接点を開閉させる制御信号が送信され、この制御信号に応じてリレー１１の内部接点の開閉が行われる。
【００１９】
電線１２は、一端の丸端子１２７がリレー１１の端子１１２にナット１２１で接続されるとともに、他端の丸端子１２８がケース体１３に設けられた外部接続端子１３１ａにナット１２２で接続されるものであり、この電気接続箱１Ａでは、この電線１２が一対備えられている。
【００２０】
ケース体１３は、合成樹脂製のケース本体１３１と、このケース本体１３１の下端部の一部を覆って係止爪によるケース本体１３１への係止によって固定される合成樹脂製のカバー部材１３２と、このケース本体１３１の下端部の残りの部分に開口した後述の穴部１３３ａを覆ってネジ１３３ｃでケース本体１３１に固定される蓋部１３３ｂと、で構成されている。ケース体１３は、リレー１１を非接触かつ該リレー１１の周囲を囲んだ状態で収容する収容部１３３と、この収容部１３３から電線１２を導出させる導出部１３４と、を有して形成されている。
【００２１】
以下、ケース本体１３１について図４〜８を参照して説明する。図４はケース本体１３１の上面図であり、図５はケース本体１３１の右側面図であり、図６はケース本体１３１の底面図であり、図７は図６に矢視Ａ線で示す断面図であり、図８は図６に矢視Ｂ線で示す断面図である。
【００２２】
ケース本体１３１は、カバー部材１３２側となる下縁が前方へと張り出した下縁張出し部１３１ｂを有し、この下縁張出し部１３１ｂの左右両端部それぞれに外部接続端子１３１ａが設けられている。カバー部材１３２は、この下縁張出し部１３１ｂの下面を覆って固定される。また、ケース本体１３１は、カバー部材１３２側とは反対側の上縁が、下縁張出し部１３１ｂとは逆方向となる後方へと張り出した上縁張出し部１３１ｃを有し、この上縁張出し部１３１ｃの左右両端部それぞれに、この電気接続箱１Ａを所定の取付場所に固定するためのボルトが通る貫通孔１３７，１３８を有したカラーが設けられている。本実施形態では、左右２つの貫通孔１３７，１３８のうち、図４や図６では上側に示されている貫通孔１３８が長孔形状となっており、貫通孔１３７，１３８の位置にかかる寸法公差がこの長孔形状によって吸収されるようになっている。また、ケース本体１３１の上面には、図２や図３に示されている制御コネクタ１１４を嵌合させて保持するコネクタ保持部１３１ｄが設けられている。
【００２３】
ケース体１３における収容部１３３は、図６〜図８に示されているように、ケース本体１３１に設けられて下方側に開口した穴部１３３ａと、穴部１３３ａの開口を塞ぐ蓋部１３３ｂと、で構成されている。リレー１１は、この収容部１３３をなす穴部１３３ａに、端子１１２が蓋部１３３ｂと対向する姿勢で収納される。
【００２４】
導出部１３４は、穴部１３３ａにおける左右の側壁に設けられた円筒状の切り欠きであり、一端の丸端子１２７がリレー１１の端子１１２に接続された電線１２は、この導出部１３４を通って穴部１３３ａの外へと導出される。また、下縁張出し部１３１ｂの、カバー部材１３２に覆われる裏面には、左右の電線１２それぞれを外部接続端子１３１ａへと導く左右一対の配索溝１３１ｄが設けられている。電線１２は、導出部１３４から導出された後、この配索溝１３１ｄの内側を通って外部接続端子１３１ａへと導かれ、その導かれた先で、他端の丸端子１２８が外部接続端子１３１ａに接続される。この外部接続端子１３１ａには、上記のバッテリーや各種電装品からの不図示の電線が接続される。
【００２５】
また、左右の導出部１３４のうち図８に示されている導出部１３４の近傍には、第１の制御用導出部１３５と、第２の制御用導出部１３６とが設けられている。第１の制御用導出部１３５は、図２や図３に示されている制御用電線１１３を穴部１３３ａから導出させるものであり、導出部１３４に連続しかつこの導出部１３４よりも深い切り欠きとなって形成されている。第２の制御用導出部１３６は、制御用電線１１３を、コネクタ保持部１３１ｄに保持された制御コネクタ１１４へと至るケース本体１３１の外部を経る経路へと導出するものであり、第一の制御用導出部１３５に隣接した切り欠きとなって形成されている。制御用電線１１３は、第１の制御用導出部１３５及び第２の制御用導出部１３６を経てケース本体１３１の外部に導出され、その先端の制御コネクタ１１４がコネクタ保持部１３１ｄに保持される。
【００２６】
ここで、本実施形態の電気接続箱１Ａは、図２及び図３に示されているように、リレー１１を支持する第一支持手段が、リレー１１と収容部１３３の内面との間に介装されるインナーモールド１４（第一支持部材）を有して構成されているとともに、電線１２を介してリレー１１を支持する第二支持手段が、電線１２に巻かれてこの電線１２と導出部１３４との間に介装されるソフトテープ１５（第二支持部材）を有して構成されている。
【００２７】
本実施形態では、インナーモールド１４は、収容部１３３における穴部１３３ａの奥側に設けられる奥側部材１４１と、穴部１３３ａの開口側かつ蓋部１３３ｂの側に設けられる開口側部材１４２と、を有して構成されている。各部材は弾性材料としてのウレタンフォームで形成されており防振性を有するものとなっている。これらの各部材には、リレー１１が嵌め込まれる窪みが設けられており、図３に示されているように、リレー１１は、これら２つの部材によって上下から挟まれ、周囲がインナーモールド１４によって隙間なく包囲された状態で収容部１３３に収容される。また、収容時にはインナーモールド１４が収容部１３３の内面に密接する。また、インナーモールド１４をなす開口側部材１４２の左右両側面には、電線１２を挿通させる挿通部１４３が円筒切り欠き状に形成されている。
【００２８】
ソフトテープ１５は弾性を有するテープ部材であって、リレー１１の端子１１２に接続される電線１２の一端近傍に巻き付けられている。そして、ソフトテープ１５が、インナーモールド１４の開口側部材１４２における挿通部１４３と、ケース体１３における導出部１３４とに亘って嵌め込まれる。
【００２９】
本実施形態の電気接続箱１Ａでは、インナーモールド１４とソフトテープ１５という、各々が防振性を有した弾性材料からなる２つの支持部材によって、リレー１１が収容部１３３に対して非接触で支持され、かつ周囲が収容部１３３に囲まれて収容されることとなる。このため、リレー１１から音や振動が発生した場合であっても、この音や振動が収容部１３３、即ちケース体１３に直接伝達されることが防止できる。さらに、上記の２つの支持部材が防振性を有した弾性材料から形成されていることで、リレー１１からインナーモールド１４を介して収容部１３３の内面に伝達される音や振動が減衰され、また、リレー１１から電線１２及びソフトテープ１５を介して導出部１３４に伝達される音や振動が減衰され、遮音性能及び防振性能をさらに向上させることができる。
【００３０】
また、本実施形態の電気接続箱１Ａによれば、インナーモールド１４でリレー１１の周囲を隙間なく包囲するとともに、インナーモールド１４を収容部１３３の内面に密接して設けることで、リレー１１から発生する音が漏れ出すのを防止することができる。さらに、インナーモールド１４に挿通部１４３が形成され、この挿通部１４３を通して電線１２を導出させることで、電線１２を伝搬することによる音や振動の漏出も抑制することができる。
【００３１】
また、本実施形態の電気接続箱１Ａによれば、ソフトテープ１５でリレー１１の周囲を隙間なく包囲するとともに、ソフトテープ１５を導出部１３４の内周縁に密接して設けることで、リレー１１から発生する音や振動が電線１２を介して収容部１３３の外部に漏れ出すのを防止することができる。
【００３２】
また、本実施形態の電気接続箱１Ａによれば、収容部１３３がケース本体１３１の穴部１３３ａと蓋部１３３ｂとで構成され、インナーモールド１４が奥側部材１４１と開口側部材１４２とを有して構成される。即ち、インナーモールド１４が穴部１３３ａの奥側と開口側とで少なくとも二分割されている。このため、リレー１１及びインナーモールド１４を収容部１３３に収容する際の組付け手順を効率化することができる。具体的には、先ず、図９及び図１０に示されているように、ケース本体１３１の穴部１３３ａに奥側部材１４２を嵌入しておいてから、この奥側部材１４２にリレー１１を嵌め込んで支持させる。次に、奥側部材１４２及びリレー１１に密接させつつ開口側部材１４２を穴部１３３ａに嵌入し、その後に蓋部１３３ｂ（図２参照）で穴部１３３ａを塞ぐことで、リレー１１及びインナーモールド１４を収容部１３３に確実かつ容易に組み付けることができる。
【００３３】
（第２実施形態）
次に、本発明の第２実施形態にかかる電気接続箱を図１１を参照して説明する。尚、この第２実施形態にかかる電気接続箱は、リレー１１を支持する第一支持部材としてのインナーモールドを除いて、上述した第１実施形態にかかる電気接続箱１Ａと同等なものとなっている。以下では、第２実施形態にかかる電気接続箱について、この第１実施形態にかかる電気接続箱１Ａとの相違点であるインナーモールドに注目して説明を行う。また、図１１では、図１〜図１０に示されている第１実施形態にかかる電気接続箱１Ａの構成要素と同等な構成要素については図１〜図１０と同じ符号が付されており、以下では、これら同等な構成要素についての重複説明を省略する。
【００３４】
第２実施形態にかかる電気接続箱では、図１１に示されているように、インナーモールド２１が、リレー１１を左右から挟み込む第１部材２１１と第２部材２１２と、を有して構成されている。本実施形態でも、これら各部材は弾性材料としてのウレタンフォームで形成されており防振性を有するものとなっている。これらの各部材には、リレー１１が嵌め込まれる窪みが設けられており、リレー１１は、これら２つの部材によって左右から挟まれ、周囲がインナーモールド２１によって隙間なく包囲された状態で収容部１３３（図２参照）に収容される。本実施形態では、まずリレー１１を第１部材２１１及び第２部材２１２で左右から挟み込み、次に、その挟み込んだ状態のものが収容部１３３の穴部１３３ａに嵌め込まれ、最後に蓋部１３３ｂで塞ぐといった手順で電気接続箱が組み立てられる。
【００３５】
また、第１部材２１１及び第２部材２１２のそれぞれには、制御コネクタ１１４へと延びる制御用電線１１３や、端子１１２に接続される電線１２（図２参照）を通すためのスリット２１１ａ，２１２ａが、上記の組み立て時には上方を向く、蓋部１３３ｂに対する対向面に設けられている。組み立て時には、制御用電線１１３や電線１２が、スリット２１１ａ，２１２ａへの上方からの押し込めにより簡単に配索されることとなる。また、制御用電線１１３については、このスリット２１１ａ，２１２ａに挟み込まれた状態で支持されることから、この制御用電線１１３の通過箇所での隙間の発生が抑制され、この通過箇所からの音漏れも抑制されることとなる。
【００３６】
以上に説明した第２実施形態にかかる電気接続箱でも、インナーモールド２１及びソフトテープ１５（図２参照）によってリレー１１での振動が吸収されケース体１３へのその振動の伝搬が抑制される。これにより、リレー１１の振動に起因した異音が抑制されることとなる。
【００３７】
尚、前述した各実施形態は本発明の代表的な形態を示したに過ぎず、本発明は、実施形態に限定されるものではない。即ち、本発明の骨子を逸脱しない範囲で種々変形して実施することができる。
【００３８】
例えば、各実施形態では、リレー１１の端子１１２と外部接続端子１３１ａとを接続する電気接続部材として電線１２が例示されていたが、この電気接続部材は電線に限るものではなく、例えばバスバ等であってもよい。
【００３９】
また、各実施形態では、リレー１１を、インナーモールド２１を有する第一支持手段と、ソフトテープ１５を有する第二支持手段との２つの支持手段で支持する形態が例示されていたが、リレー１１を支持する支持手段は、いずれか一方の支持手段のみであってもよい。また、第二支持手段のみでの支持については、ソフトテープ１５のような弾性部材を設けず、電線１２を導出部１３４の近傍に固定し、この電線１２が有する弾性のみでリレー１１をケース体１３に対して非接触で支持するものであってもよい。
【００４０】
また、各実施形態では、リレー１１と収容部１３３の内面との間に介装され第一支持部材として、ウレタンフォーム製のインナーモールド１４が例示されていたが、この第一支持部材はウレタンフォーム製に限るものではなく、例えばゴムや樹脂で形成されたものや、リレー１１に対する発泡ウレタンの吹き付けによって形成されたもの等であってもよい。
【００４１】
また、各実施形態では、電気接続箱の一例として、リレーが１つ収納された電気接続箱１Ａ，１Ｂが例示されていたが、電気接続箱は、複数のリレーが収納されたものであってもよく、あるいは、１つ以上のリレーとヒューズや回路基板等が収納されたものであってもよい。また、電気接続箱は、リレーに限らず、動作時に振動を生ずるリレー以外の電気部品が収納されたものであってもよい。
【符号の説明】
【００４２】
１Ａ        電気接続箱
１１        リレー
１２        電線
１３        ケース体
１４，２１  インナーモールド
１５        ソフトテープ
１１２      端子
１３１      ケース本体
１３１ａ    外部接続端子
１３３      収容部
１３３ａ    穴部
１３３ｂ    蓋部
１３４      導出部
１４１      奥側部材
１４２      開口側部材
２１１      第１部材
２１２      第２部材
【図１】
2015023591.tif 000003
【図２】
2015023591.tif 000004
【図３】
2015023591.tif 000005
【図４】
2015023591.tif 000006
【図５】
2015023591.tif 000007
【図６】
2015023591.tif 000008
【図７】
2015023591.tif 000009
【図８】
2015023591.tif 000010
【図９】
2015023591.tif 000011
【図１０】
2015023591.tif 000012
【図１１】
2015023591.tif 000013